(57)【要約】      （修正有）【課題】プログラム可能なメディアインサートを備えた通電可能眼用レンズのプログラミングの方法を提供する。【解決手段】メディアインサート１００は、通電された眼用レンズ１５０の更なるカスタマイズを可能にするようにプログラム可能であってもよい。プログラミングは、電気的構成要素がプログラム可能なメディアインサートに封入された後で行われてもよい。プログラミング装置は、眼用レンズが完全に組み立てられた後でメディアインサートを無線でプログラムしてもよい。あるいは、プログラミング装置は、オーバーレイを無線でプログラムすることによって、メディアインサートを間接的にプログラムしてもよい。オーバーレイは、続いて、メディアインサートに近接して配置されるとメディアインサートをプログラムしてもよく、その配置によって眼用レンズの組立てが完了する。【選択図】図１
2018081326.tif 000002
【特許請求の範囲】
【請求項１】
第１の通電可能眼用レンズをプログラムするプログラミング装置であって、
プログラミング部分であって、前記プログラミング部分が第１の通電可能眼用レンズに近接して配置されるとき、プログラム可能なメディアインサートを無線でプログラムすることが可能であり、前記第１の通電可能眼用レンズが、前記プログラム可能なメディアインサート及びソフトレンズベースを備え、前記ソフトレンズベースが、前記プログラム可能なメディアインサートの少なくとも一部分と接触している、プログラミング部分と、
前記プログラミング部分と少なくとも部分的に重なるように前記第１の通電可能眼用レンズが前記プログラミング部分と位置合わせされるように、前記第１の通電可能眼用レンズを受け入れることができる受入れ部分と、を備える、プログラミング装置。
【請求項２】
前記プログラミング部分と電気的に連通している電力源を更に備える、請求項１に記載のプログラミング装置。
【請求項３】
前記プログラミング装置が手持ち式デバイスである、請求項１に記載のプログラミング装置。
【請求項４】
分配部分を更に含み、前記分配部分は、プログラム可能なメディアインサートを備えた複数のプログラムされていない通電可能眼用レンズにアクセスすることができ、前記第１の通電可能眼用レンズが前記複数のプログラムされていない通電可能眼用レンズからの選択物を含み、前記分配部分は、前記第１の通電可能眼用レンズを前記プログラミング部分に近接させて配置することができる、請求項１に記載のプログラミング装置。
【請求項５】
前記プログラミング装置が可搬型デバイスである、請求項１に記載のプログラミング装置。
【請求項６】
前記プログラミング部分が、
プログラミングパラメータデータを受信することができる受信器と、
前記プログラミングパラメータデータを前記プログラム可能なメディアインサートに無線で送信することができる送信器と、
実行可能なソフトウェアを備えるプロセッサと、を備え、前記プロセッサは前記受信器及び前記送信器と論理的に連通しており、前記実行可能なソフトウェアは前記プログラミングパラメータデータを格納することができる、請求項１に記載のプログラミング装置。
【請求項７】
前記受入れ部分が、
前記第１の通電可能眼用レンズを前記プログラミング部分と位置合わせすることができる位置合わせ機構を更に備える、請求項１に記載のプログラミング装置。
【請求項８】
前記受信器が外部デバイスと論理的に連通することができる、請求項６に記載のプログラミング装置。
【請求項９】
前記受信器が入力部分を備え、前記入力部分が、前記プログラミングパラメータデータをアクセプトすることができる、請求項６に記載のプログラミング装置。
【請求項１０】
前記受信器が、前記第１の通電可能眼用レンズの前記プログラム可能なメディアインサートから所定のデータを無線で受信することができ、前記プログラム可能なメディアインサートが前記所定のデータを収集することができる、請求項６に記載のプログラミング装置。
【発明の詳細な説明】
【技術分野】
【０００１】
本発明は、プログラム可能なメディアインサートを備えた通電可能眼用レンズのプログラミングに関する方法、装置、及びデバイスについて記載する。より具体的には、本発明は、組み立てられた通電可能眼用レンズ及びプログラム可能なメディアインサートを無線でプログラムすることができる、プログラミング装置について記載する。
【背景技術】
【０００２】
従来より、コンタクトレンズ、眼内レンズ、又は涙点プラグなどの眼用デバイスには、矯正的、美容的、又は治療的性質を有する生体適合性デバイスが含まれていた。例えば、コンタクトレンズは、視力矯正機能、美容効果、及び治療効果のうちの１つ又は２つ以上を提供することができる。各機能は、レンズの物理的特性によって、もたらされる。レンズに屈折性を組み込んだ設計によれば、視力矯正機能を与えることができる。レンズに顔料を組み込むことによって、美容効果をもたらすことができる。レンズに活性薬剤を組み込むことによって、治療効果をもたらすことができる。かかる物理的特性は、レンズを通電状態にすることなく達成され得る。
【０００３】
最近、能動的構成要素がコンタクトレンズに内蔵されてきており、この内蔵は、眼用デバイスに通電要素を組み込むことを伴うことがある。この効果を達成するための比較的複雑な構成要素は、それらをインサートデバイスに内蔵し、次いでこれを現況技術の眼用レンズの作製において有用である標準的な又は類似した材料で包むことによって、改善された特性を引き出す可能性がある。
【発明の概要】
【発明が解決しようとする課題】
【０００４】
能動的構成要素を眼用レンズに内蔵することで、眼用レンズの潜在的な機能性が拡大する。機能性の範囲が増大することで、カスタマイズをより顕著なものにすることができるが、より複雑にもなり得る。したがって、通電可能眼用レンズを個人化する新しい手段が必要な場合がある。
【０００５】
多様な種類のイベント呈色メカニズム（event coloration mechanisms）を実現するためのプロセス、方法、及び得られるデバイスを改善することが望ましい場合がある。通電可能眼用レンズにおけるイベント呈色メカニズムに対応した解決策のいくつかは、非通電デバイス及び他の生医学的デバイスに対して新規な態様を提供し得ると予期できる。したがって、プログラム可能なメディアインサートを備えた通電可能眼用レンズのプログラミング及び製造に関する新規な方法、デバイス、及び装置が重要である。
【課題を解決するための手段】
【０００６】
したがって、本発明は、第１の通電可能眼用レンズをプログラムするプログラミング装置に関する革新を含み、プログラミング装置は、プログラミング部分が第１の通電可能眼用レンズに近接して配置されるとき、プログラム可能なメディアインサートを無線でプログラムすることが可能な、プログラミング部分を備え、第１の通電可能眼用レンズは、プログラム可能なメディアインサート及びソフトレンズベースを備え、ソフトレンズベースは、プログラム可能なメディアインサートの少なくとも一部分と接触している。
【０００７】
いくつかの実施形態では、装置は、プログラミング部分と電気的に連通している電力源と、第１の通電可能眼用レンズを受け入れることができる受入れ部分とを更に備えてもよい。装置は手持ち式又は可搬型であってもよい。受入れ部分は位置合わせ機構を備えてもよく、位置合わせ機構は、第１の通電可能眼用レンズをプログラミング部分と配向することができてもよい。
【０００８】
プログラミング装置は、分配部分を更に備えてもよく、分配部分は、プログラム可能なメディアインサートを備えた複数のプログラムされていない通電可能眼用レンズにアクセスすることができ、第１の通電可能眼用レンズは複数のプログラムされていない通電可能眼用レンズからの選択物を含み、分配部分は、第１の通電可能眼用レンズをプログラミング部分に近接させて配置することができる。
【０００９】
いくつかの実施形態では、プログラミング部分は、プログラミングパラメータデータを受信することができる受信器と、プログラミングパラメータのセットをプログラム可能なメディアインサートに無線で送信することができる送信器と、実行可能なソフトウェアを備えるプロセッサとを備えてもよく、プロセッサは、受信器及び送信器と論理的に連通しており、実行可能なソフトウェアは、プログラミングパラメータのセットを格納することができる。
【００１０】
プログラミング装置は、第１の通電可能眼用レンズの上に適合することができるプログラミングオーバーレイを備えてもよく、プログラミングオーバーレイは、受信器、送信器、及びプロセッサを封入することができるソフトレンズ部分を更に備える。
【００１１】
最小在庫管理単位はプログラミングパラメータのセットを備えてもよく、プログラミング装置は、受信器及び電力源と電気的に連通しているスキャニング部分を更に備え、スキャニング部分は、最小在庫管理単位を認識し、プログラミングパラメータのセットを受信器に送信することができる。受信器は、外部デバイスと論理的に連通することが可能であってもよい。
【００１２】
いくつかの実施形態では、受信器は入力部分を備えてもよく、入力部分は、プログラミングパラメータのセットをアクセプトすることが可能であってもよい。あるいは、受信器は、第１の通電可能眼用レンズのプログラム可能なメディアインサートから所定のデータを無線で受信することが可能であってもよく、プログラム可能なメディアインサートは所定のデータを収集することができる。
【００１３】
いくつかの実施形態では、プログラミング部分は、通電可能眼用レンズが密封容器内に配置されるとき、プログラム可能なメディアインサートをプログラムすることが可能であってもよい。密封容器は、通電された眼用レンズの特定の水和レベルを維持することができる水性溶液のリザーバと、リザーバ及び通電された眼用レンズを収容することができる陥凹部を備える剛性部分と、陥凹部を覆う密封層とを備えてもよく、密封層は、所定の周囲条件に対する第１の通電可能眼用レンズの露出を限定することができる。いくつかの実施形態では、密封層は、送信器とプログラム可能なメディアインサートとの間の無線送信に対して透過性であってもよい。
【００１４】
いくつかの実施形態では、最小在庫管理単位は、第１の通電可能眼用レンズの表面上、又は第１の通電可能眼用レンズを保持することができる容器の表面上に位置する、最小在庫管理単位バーコードによって識別可能であってもよい。スキャニング部分は、最小在庫管理単位バーコードに近接し、最小在庫管理単位バーコードに光を方向付けることができる、例えばレーザーなどの光源であって、表面が光を反射することができる、光源と、反射光の強度を測定することができるフォトダイオードとを備えてもよい。
【００１５】
いくつかの実施形態では、実行可能なソフトウェアは、所定のデータに基づいてプログラミングパラメータのセットを調節することが可能であってもよい。プログラミング部分は、調節されたプログラミングパラメータのセットに基づいて、第２の通電可能眼用レンズを無線でプログラムすることが可能であってもよい。あるいは、プログラミング部分は、調節されたプログラミングパラメータのセットに基づいて、第１の通電可能眼用レンズを無線で再プログラムすることが可能であってもよい。
【図面の簡単な説明】
【００１６】
【図１】通電された眼用レンズのためのメディアインサートの例示的な一実施形態、及び通電された眼用レンズの例示的な一実施形態を示す図である。
【図２Ａ】プログラムされていない通電可能眼用レンズ及びプログラミングオーバーレイの例示的な一実施形態を示す上面図である。
【図２Ｂ】プログラムされていない通電可能眼用レンズ及びプログラミングオーバーレイの例示的な一実施形態を示す断面図である。
【図３】通電可能眼用レンズの事前プログラミングに関する例示的なプロセスフローチャートである。
【図４】通電可能眼用レンズのプログラミングに関する例示的な装置を示す図である。
【図５】通電可能眼用レンズのプログラミングに関する代替のプロセスフローチャートである。
【図６】通電可能眼用レンズのプログラミングに関する代替のプロセスフローチャートである。
【発明を実施するための形態】
【００１７】
本発明は、プログラム可能なメディアインサートを備えた通電された眼用レンズのプログラミングの方法について記載する。概して、本発明のいくつかの実施形態によれば、プログラム可能なメディアインサートは通電可能眼用レンズと一体化されてもよい。
【００１８】
以下の節では、本発明の実施形態の詳細な説明を記載する。好ましい実施形態及び代替の実施形態の説明はいずれも、あくまで例示的な実施形態に過ぎないものであって、当業者にとって、変形、改変、及び変更が明らかとなり得ることが理解される。したがって、前記例示的な実施形態は、基礎をなす発明の範囲を限定しないことを理解されたい。
【００１９】
用語解説
本発明に関する本説明及び特許請求の範囲において、以下の定義が適用される様々な用語が使用され得る。
接着促進剤：本明細書で使用するとき、封入剤に対する剛性インサートの接着性を向上する材料又はプロセスを指す。
【００２０】
バックカーブ部品又はバックインサート部品：本明細書で使用するとき、前記インサートに組み入れられたときに、眼用レンズの後方になる側の位置を占有するマルチピース型インサートの固体要素を指す。眼用デバイスでは、かかる部品は、装着者の眼の表面に近い側になるインサートの面上に位置する。いくつかの実施形態では、バックカーブ部品は、光がそこを通って装着者の眼の中に入る、眼用デバイスの中心の領域を包含し、かつこれを含んでもよい。この領域は光学ゾーンと呼ばれることがある。他の実施形態では、この部品は、光学ゾーンの一部若しくは全ての領域を包含しない、又は含まない環状形状をとることがある。眼用インサートのいくつかの実施形態では、複数のバックカーブ部品が存在してもよく、それらのうち１つは光学ゾーンを含んでもよく、他のものは環状であるか又は環形の部分であってもよい。
【００２１】
構成要素：本明細書で使用するとき、論理的状態又は物理的状態の１つ又は２つ以上の変化を生じるため、エネルギー源から電流を引くことができるデバイスを指す。
【００２２】
堆積物：本明細書で使用するとき、例えばコーティング又はフィルムを含む、任意の材料塗布物を指す。
【００２３】
消毒放射線：本明細書で使用するとき、消毒放射線量を受け取ることによって望ましくない生物を死滅させるのに十分な放射線の周波数及び強度を指す。
【００２４】
消毒放射線量：本明細書で使用するとき、細菌、ウイルス、カビ、及び菌類を少なくとも含む生物の量を、対数スケールで少なくとも２Ｌｏｇ、好ましくは３Ｌｏｇ以上低減させる放射線の量を指す。
【００２５】
電気的連通：本明細書で使用するとき、電界によって影響を受けていることを指す。導電材料の場合、影響は電流の流れによってもたらされることもあり、又はその影響によって電流の流れが生じることもある。他の材料では、例えば、永久双極子及び誘導された分子双極子を磁力線に沿って配向する傾向などの影響をもたらす、電位場であってもよい。
【００２６】
封入する：本明細書で使用するとき、例えばメディアインサートなどの実体を、この実体に隣接する環境から分離する障壁を形成することを指す。
【００２７】
封入剤：本明細書で使用するとき、例えばメディアインサートなどの実体に隣接する環境から実体を分離する障壁を生成する、実体を取り囲んで形成される層を指す。例えば、封入剤は、エタフィルコン、ガリフィルコン、ナラフィルコン、及びセノフィルコン、又は他のヒドロゲルコンタクトレンズ材料など、シリコーンヒドロゲルから構成されることがある。いくつかの実施形態では、封入剤は、実体内に特定の物質を収容し、例えば水などの指定物質が実体に入り込むのを防ぐように、半透性であってもよい。
【００２８】
通電された：本明細書で使用するとき、電流を供給することができるか、又は内部に蓄積された電気的エネルギーを有することができる状態を指す。
【００２９】
エネルギー：本明細書で使用するとき、物理的システムが仕事をする能力を指す。本発明における多くの用途は、仕事をする際に電気的作用を行うことができる前記能力に関連し得る。
【００３０】
エネルギーハーベスタ：本明細書で使用するとき、環境からエネルギーを抽出し、それを電気的エネルギーに変換することができるデバイスを指す。
【００３１】
エネルギー源：本明細書で使用するとき、エネルギーを供給することができるか、又は論理デバイス若しくは電気デバイスを通電状態にすることができる、任意のデバイス又は層を指す。
【００３２】
イベント：本明細書で使用とするとき、例えば、特定の対象のバイオマーカーレベル、通電レベル、ｐＨレベル、又は視覚認識などの、定義済みの一連のパラメータを指す。イベントは、投薬レベルなどのように装着者に特異的であってもよく、又は例えば温度などのように全ての装着者に一般に適用可能であってもよい。
【００３３】
フロントカーブ部品又はフロントインサート部品：本明細書で使用するとき、インサートに組み入れられたときに、眼用レンズの前方になる側の位置を占有する、マルチピース型剛性インサート又はメディアインサートの固体要素を指す。眼用デバイスでは、かかる部品は、装着者の眼の表面から遠い方のインサートの面上に配置されるであろう。いくつかの実施形態では、部品は、そこを通して光が装着者の眼に入る、眼用デバイスの中心部の領域を収容し、かつこれを含んでもよい。この領域は光学ゾーンと呼ばれることがある。他の実施形態では、この部品は、光学ゾーンの一部若しくは全ての領域を包含しない、又は含まない環状形状をとることがある。眼用インサートのいくつかの実施形態では、複数のフロントカーブ部品が存在してもよく、それらのうち１つは光学ゾーンを含んでもよく、他のものは環状又は環形の部分であってもよい。
【００３４】
機能化：本明細書で使用するとき、例えば、励起、作動、又は制御を含む機能を、層又はデバイスが実行できるようにすることを指す。
【００３５】
インサート部品：本明細書で使用するとき、剛性インサート又はメディアインサートに組み入れられてもよい、マルチピース型剛性インサート又はメディアインサートの固体要素を指す。眼用デバイスでは、インサート部品は、そこを通して光がユーザの眼に入る、眼用デバイスの中心部の領域を収容し、かつこれを含んでもよい。この領域は光学ゾーンと呼ばれることがある。他の実施形態では、この部品は、光学ゾーンの一部若しくは全ての領域を包含しない、又は含まない環状形状をとることがある。いくつかの実施形態では、剛性インサート又はメディアインサートは複数のインサート部品を備えてもよく、一部のインサート部品は光学ゾーンを含んでもよく、他のインサート部品は環状又は環形の部分であってもよい。
【００３６】
眼用レンズ又は眼用デバイス又はレンズ：本明細書で使用するとき、眼鏡とは対照的に、眼内又は眼上に存在する任意のデバイスを指す。デバイスは、光学補正を提供してもよく、美容的なものであってもよく、又は光学的性質とは無関係な何らかの機能を提供してもよい。例えば、レンズという用語は、コンタクトレンズ、眼内レンズ、オーバーレイレンズ、眼用インサート、光学インサート、又は視力が矯正若しくは修正されるか、又は視力を妨げることなく眼の生理機能が美容的に拡張される（例えば、虹彩色）、他の同様のデバイスを指してもよい。あるいは、レンズは、眼上に配置されてもよい、例えば、涙液の構成成分の監視又は活性剤の投与手段など、視力矯正以外の機能を有するデバイスを指してもよい。いくつかの実施形態では、本発明の好ましいレンズは、シリコーンエラストマーから、又は例えばシリコーンヒドロゲル及びフロオロヒドロゲルを含んでもよい、ヒドロゲルから作られる、ソフトコンタクトレンズであってもよい。
【００３７】
レンズ形成混合物又は反応性混合物又はＲＭＭ：本明細書で使用するとき、硬化及び架橋によって、又は架橋によって眼用レンズを形成してもよい、モノマー組成物及び／又はプレポリマー材料を指す。様々な実施形態は、ＵＶ遮断剤、染料、希釈剤、光開始剤、又は触媒、及びコンタクトレンズ若しくは眼内レンズなどの眼用レンズにおいて有益であり得る他の添加剤など、１つ又は２つ以上の添加剤を有するレンズ形成混合物を含んでもよい。
【００３８】
レンズ形成表面：本明細書で使用するとき、レンズの成形に使用することができる表面を指す。いくつかの実施形態において、任意のそのような表面は、光学品質表面仕上げを有することができ、光学品質表面仕上げとは、表面が十分に滑らかで、成型表面に接触しているレンズ形成材料の重合によって作られるレンズ表面が光学的に許容可能であるように形成されていることを示す。更に、いくつかの実施形態では、レンズ形成表面は、例えば、球面、非球面、及び円柱屈折力、波面収差補正、並びに角膜トポグラフィ補正を含む所望の光学特性をレンズ表面に付与するのに必要なことがある、幾何学的形状を有してもよい。
【００３９】
液晶：本明細書で使用するとき、従来の液体と固体結晶との間の性質を有する物質の状態を指す。液晶は、固体として特徴付けることはできないが、その分子はある程度の整列を呈する。本明細書で使用するとき、液晶は特定の相又は構造には限定されないが、液晶は特定の静止配向を有してもよい。液晶の配向及び相は、液晶の部類に応じて、例えば、温度、磁気、又は電気などの外力によって操作されてもよい。
【００４０】
メディアインサート：本明細書で使用するとき、通電可能眼用デバイス内に含まれることになる封入インサートを指す。通電要素及び回路機構がメディアインサートに埋め込まれてもよい。メディアインサートは通電された眼用デバイスの主要な目的を規定する。例えば、通電された眼用デバイスによって、ユーザが屈折力を調節することが可能になる実施形態では、メディアインサートは、光学ゾーン内の液体メニスカス部分を制御する通電要素を含んでもよい。あるいは、メディアインサートは、光学ゾーンが材料を含まないように環状であってもよい。かかる実施形態では、レンズの通電された機能は、光学的性質のものでなくてもよく、むしろ例えば、グルコースの監視又は医薬品の投与であってもよい。
【００４１】
成形型：本明細書で使用するとき、硬化されていない配合物からレンズを形成するのに使用されてもよい、剛性又は半剛性の物体を指す。一部の好ましい成形型は、フロントカーブ成形型部分及びバックカーブ成形型部分を形成する２つの成形型部分を含んでもよく、各成形型部分は少なくとも１つの許容可能なレンズ形成表面を有する。
【００４２】
光学ゾーン：本明細書で使用するとき、眼用レンズのユーザがそこを通して見る眼用レンズの領域を指す。
【００４３】
予備硬化：本明細書で使用するとき、混合物を部分的に硬化させるプロセスを指す。いくつかの実施形態では、予備硬化プロセスは、期間を短縮した完全硬化プロセスを含んでもよい。あるいは、予備硬化プロセスは、例えば、材料の完全硬化に使用されてもよいものとは異なる温度及び光の波長に混合物を暴露することによる、独自のプロセスを含んでもよい。
【００４４】
前投入：本明細書で使用するとき、プロセスの完了に必要になり得る全量よりも少ない量での材料の初期堆積を指す。例えば、前投入は必要な物質の４分の１を含んでよい。
【００４５】
後投入：本明細書で使用するとき、プロセスの完了に必要であり得る、前投入後の残りの量の材料の堆積を指す。例えば、前投入が必要な物質の４分の１を含む場合には、後続の後投入は物質の残りの４分の３を提供してよい。
【００４６】
仕事率：本明細書で使用するとき、単位時間当たりに行われる仕事又は移送されるエネルギーを指す。
【００４７】
再充電可能又は再通電可能：本明細書で使用するとき、仕事を行うためのより高い能力を有する状態へと回復させる能力を指す。本発明の範囲内における多くの用途は、特定の速度で、特定の再設定された期間の間、電流を流す能力により復元できることに関して言うことが多い。
【００４８】
再通電又は再充電：本明細書で使用するとき、仕事を行うためのより高い能力を有する状態まで回復することを指す。本発明の範囲内で用いられる場合、特定の速度で、特定の再設定された期間の間、電流を流すことが可能になるまで、デバイスを回復させることに関連し得る。
【００４９】
剥離又は成形型からの剥離：本明細書で使用するとき、成形型から完全に分離されているか、又は軽く揺らして取り外せるか若しくは綿棒で押し出せるように、ごく緩く付着しているレンズを指す。
【００５０】
ストレージモード：本明細書で使用するとき、電力源が最小設計負荷電流を供給しているか又は供給することが求められる、電子構成要素を含むシステムの状態を指す。この用語はスタンバイモードと互換可能ではない。
【００５１】
三次元表面又は三次元基材：本明細書で使用するとき、平面表面とは対照的に、トポグラフィが特定の目的向けに設計された、三次元的に形成されている任意の表面又は基材を指す。
【００５２】
トレース：本明細書で使用するとき、回路構成要素を電気的に接続することができる電池構成要素を指す。例えば、回路トレースは、基材がプリント回路基板であるときは銅又は金を含んでもよく、フレックス回路の場合は銅、金、又は印刷堆積物であってもよい。トレースはまた、非金属材料、化学物質、又はそれらの混合物で構成されてもよい。
【００５３】
可変光学部品：本明細書で使用するとき、例えば、レンズの屈折力又は偏光角などの光学品質を変更する能力を指す。
【００５４】
眼用レンズ
図１に進むと、通電された眼用デバイス用のメディアインサート１００及びそれに対応する通電された眼用デバイス１５０の例示的な一実施形態が示されている。メディアインサート１００は、視力矯正を提供する機能性があってもなくてもよい、光学ゾーン１２０を備えてもよい。眼用デバイスの通電による機能が視力に関連したものでない場合、メディアインサート１００の光学ゾーン１２０には材料が存在しなくてもよい。いくつかの実施形態では、メディアインサート１００は、通電可能要素１１０及び電子構成要素１０５が組み込まれた基材１１５を備える、光学ゾーン１２０内にはない部分を含んでもよい。
【００５５】
いくつかの実施形態では、例えば電池であってもよい電力源１１０と、例えば半導体ダイであってもよい負荷１０５とが、基材１１５に取り付けられてもよい。導電性トレース１２５及び１３０が、電子構成要素１０５及び通電要素１１０を電気的に相互接続してもよい。
【００５６】
いくつかの実施形態では、電子構成要素１０５はプロセッサを含んでもよく、それがプログラムされて、眼用レンズの機能性のパラメータが確立されてもよい。例えば、眼用レンズが光学ゾーン１２０に可変の光学部分を備える場合、プロセッサは、通電された屈折力を設定するようにプログラムされてもよい。かかる実施形態により、同じ構成を有するが独自にプログラムされたプロセッサを含む、メディアインサートの大量生産を可能にしてもよい。
【００５７】
プロセッサは、電気的構成要素１０５、１３０、１１０、１２５をメディアインサートに封入する前にプログラムされてもよい。あるいは、プロセッサは封入後に無線でプログラムされてもよい。無線プログラミングにより、例えば、可搬型であってもよいプログラミング装置を通して、製造プロセス後のカスタマイズを可能にしてもよい。例証のため、メディアインサート１００は光学ゾーン１２０の一部分を含めて示されている。しかしながら、メディアインサートの機能性が視力に関連しなくてもよい場合、メディアインサートは、メディアインサートの構成要素が光学ゾーンの外側にある、環状のものであってもよい。
【００５８】
メディアインサート１００は、通電要素１１０、トレース１２５及び１３０、並びに電子構成要素１０５を保護し収容するため、完全に封入されてもよい。いくつかの実施形態では、封入材料は、例えば、水などの特定の物質がメディアインサート１００に入るのを防ぎ、周囲の気体若しくは通電要素内部の反応の副生成物など、特定の物質がメディアインサート１００に浸透するか又はメディアインサート１００から逃げることが可能になるように、半透性のものであってもよい。
【００５９】
いくつかの実施形態では、メディアインサート１００は、ポリマー生体適合性材料を含んでもよい眼用デバイス１５０に含まれてもよい。眼科デバイス１５０は、剛性の中心と軟質のスカートの設計を含んでもよく、中心の剛性光学素子はメディアインサート１００を備える。いくつかの具体的な実施形態では、メディアインサート１００は、大気及び角膜表面とそれぞれ前面及び後面において直接接触してもよく、あるいは、メディアインサート１００は眼用デバイス１５０に封入されてもよい。眼用デバイス１５０の周辺部１５５は、軟質のスカート材料であってもよく、この材料としては、例えば、ヒドロゲル材料などの重合反応性モノマー混合物が挙げられる。
【００６０】
図２Ａに進むと、例示的なプログラムされていない通電可能眼用レンズベース２００及びプログラミングオーバーレイ２１０が上面図で示されている。いくつかの実施形態では、プログラムされていない通電可能眼用レンズベース２００は、ソフトレンズ部分２０１と、例えば図１に記載したような、メディアインサート２０２とを含んでもよい。メディアインサート２０２は、規定の機能性のための材料を含んでもよい。例えば、メディアインサート２０２が可変の光学機能性を提供する場合、メディアインサート２０２は、眼用レンズベース２００の光学ゾーンに液体レンズ又は液晶部分２０５を含んでもよい。あるいは、メディアインサート２０２は、涙液の特定の構成成分を監視してもよく、メディアインサート２０２は、それら構成成分の濃度を定量化するため、特定の反応物又は結合化学物質を含んでもよい。
【００６１】
プログラミングに先立って、メディアインサート２０２のプロセッサ２０３は、機能的制御を可能にしてもよいが、特定のユーザに対する指定のパラメータに合わせてプログラムされなくてもよい、実行可能なソフトウェアを含んでもよい。例えば、メディアインサート２０２が可変の光学機能性を提供する場合、プロセッサ２０３は、液体レンズ部分２０５の通電を操作するのに必要な実行可能なソフトウェアを含んでもよいが、プロセッサは様々な屈折力に合わせてプログラムされなくてもよい。
【００６２】
眼用レンズベース２００は、そのプログラムされていない状態では、例えば静止視力矯正力など、無通電の機能性を提供してもよい。かかる実施形態はまた、例えばプログラミング又は通電に失敗した場合に、安全で機能的なデフォルトモードを可能にしてもよい。二次的機能性が不要であり得る場合、機能不良のメディアインサート２０２は光学的に透明な状態へと戻ることがあり、その場合はユーザの視力が損なわれないことがある。
【００６３】
プログラミングオーバーレイ２１０は、眼用レンズベース２００の軟質部分２０１と形状、サイズ、及び構成が類似している、薄い生体適合性部分２１１を備えてもよい。プログラミングオーバーレイ２１０は、眼用レンズベース２００に近接させて配置するとき、メディアインサート２０２をプログラムすることが可能であってもよい。例えば、眼用レンズベース２００は眼の上に配置されてもよく、ユーザは、プログラミングオーバーレイ２１０を眼用レンズベース２００の上に配置してもよい。一旦メディアインサート２０２に近接させると、プログラミングオーバーレイ２１０は、プログラミングデータをメディアインサート２０２内のプロセッサ２０３に送信してもよい。
【００６４】
いくつかの実施形態では、メディアインサート２０２は完全に封入されてもよく、その場合、封入によってメディアインサート２０２の構成要素が眼環境から保護されると共に隔離されて、眼環境と、例えば電気的構成要素を含む構成要素との間の直接接触が限定される。したがって、プログラミングオーバーレイ２１０は、メディアインサート２０２と無線で通信することが可能であってもよい。いくつかの実施形態では、メディアインサート２０２は、プログラミングオーバーレイ２１０の近接性を感知し、プログラミングデータを受信することができる、センサ２０４を更に備えてもよい。同様に、プログラミングオーバーレイ２１０は、メディアインサート２０２の近接性を感知し、プログラミングデータを送信することができる、送信センサ２１４を更に備えてもよい。
【００６５】
メディアインサート２０２のセンサ２０４は、プロセッサ２０３と論理的に連通していてもよく、プログラミングオーバーレイ２１０のセンサ２１４は、オーバーレイプロセッサ２１３と論理的に連通していてもよい。プログラミングオーバーレイ２１０が眼用レンズベース２００の上に配置されるとき、プログラムされた眼用レンズ２２０が形成されてもよい。
【００６６】
図示されるものなどのいくつかの実施形態では、センサ２０４、２１４は直接位置合わせされてもよい。センサ２０４、２１４は小型なので、位置合わせするのが困難なことがある。したがって、位置合わせ機構によって、プログラミングオーバーレイ２１０とメディアインサート２０２のセンサ２０４との間の配向を容易にしてもよい。いくつかの実施形態では、位置合わせ機構は磁性であってもよく、プログラミングオーバーレイ２１０は、眼用レンズベース２００又はプログラム可能なメディアインサート２０２の一方若しくは両方にある補完的な位置合わせ機構と近接させて配置したとき、自己整列性であってもよい。
【００６７】
他の実施形態では、センサはより低感度であってもよく、直接の位置合わせは不要であってもよい。かかる実施形態では、位置合わせが依然として重要なことがある。例えば、位置合わせ機構２１２は、プログラミングオーバーレイ２１０と眼用レンズベース２００又はプログラム可能なメディアインサート２０２の一方若しくは両方との間の適合を固定してもよい。固定された位置決めによって、一貫して快適な適合が可能になってもよく、固定によって、プログラミングオーバーレイ２１０、眼用レンズベース２００、及びプログラム可能なメディアインサート２０２の間の移動を限定してもよい。
【００６８】
プログラミングオーバーレイ２１０はまた、プログラムされたパラメータを格納することが可能であってもよい、プロセッサ２１３を含んでもよい。プロセッサ２１３はまた、例えばプログラミングパラメータを含む、データの受信及び転送を制御することができる、実行可能なソフトウェアを含んでもよい。いくつかの実施形態では、プログラミングオーバーレイ２１０内の実行可能なソフトウェアは、入力されたプログラミングパラメータをオペレーショナルコードに翻訳してもよい。他の実施形態では、プログラミングオーバーレイ２１０は単にプログラミングパラメータを送信するのみであってもよく、メディアインサート２０２のプロセッサ２０３内の実行可能なソフトウェアがプログラミングパラメータを翻訳してもよい。
【００６９】
図２Ｂに進むと、例示的なプログラムされていない通電可能眼用レンズベース２５０及びプログラミングオーバーレイ２６０が断面図で示されている。いくつかの実施形態では、メディアインサート２５２は、ソフトレンズ部分２５１に完全に封入されていなくてもよく、それによってメディアインサート２５２とプログラミングオーバーレイ２６０との間をより近接にすることを可能にしてもよい。かかる実施形態では、プログラミングオーバーレイ２６０は、ソフトレンズ部分２５１に封入されないメディアインサート２５２の部分に対するポケット２６６を含むように形成されてもよい。
【００７０】
いくつかのかかる実施形態では、眼用レンズベース２５０は、非通電可能眼用レンズに含まれるようなベース処方を含んでもよく、プログラムされたオーバーレイ２６０は汎用であってもよい。汎用オーバーレイ２６０は、例えば眼科医などのプログラマーが、需要が予測しにくいことがある特定の眼用レンズベース２５０に拘束されることなく、オーバーレイの在庫を保持することを可能にしてもよい。
【００７１】
例えば、プログラムされた眼用レンズ２５０が老眼の患者に対して可変の屈折力を提供する場合、老眼患者の数は特定の処方の需給よりも予測しやすいことがある。眼用レンズベース２５０は、一般的な需要又は個々の患者の特定の需要に基づいて注文されてもよいが、眼科医は、患者が診察室を出る前にオーバーレイをプログラムすることが可能であってもよい。
【００７２】
いくつかの実施形態では、二次的な位置合わせ機構が必要なことがあり、それによって、しっかりした完全なアセンブリ２７０が可能になってもよい。例えば、センサ２５４、２６４は磁性であってもよい。あるいは、プログラムされたオーバーレイ２６０は、舌部および溝を通して、又はスナップ嵌めなど、眼用レンズベース２５０と機械的に適合してもよい。いくつかのかかる実施形態では、適合メカニズムはセンサの近くでなくてもよく、それによってより広範囲の位置合わせメカニズムが可能になってもよい。
【００７３】
更に他の実施形態では、センサ２５４、２６４は特定の円状の位置合わせを要しないことがある。例えば、センサ２５４、２６４は、プログラムされたオーバーレイ２６０が眼用レンズベース２５０上に配置してもよいとき、組み立てられた２７０の近接性を認識するのに十分に高感度であってもよい。
【００７４】
図３に進むと、通電可能眼用レンズ３４２の処理及び事前プログラミングのプロセスフローチャートの例示的な一実施形態が示されている。いくつかの実施形態では、プログラミングは、３４０でメディアインサート３２１を眼用レンズ３３１に含めるのに先立って、３２０で行われてもよい。いくつかのかかる実施形態では、製造者はプログラマーでもあってもよい。あるいは、プロセッサは事前プログラムされてもよく、その場合、３２０におけるプログラミングは、３３０、３４０の組立てステップ、及び３５０、３６０の包装ステップとは別個に行われてもよい。
【００７５】
例示的な一例として、眼科医又は内科医などの医師は、患者を評価して、通電可能眼用レンズ３３２に必要なパラメータを決定してもよい。例えば視力矯正、又は術後の眼に対する鎮痛軟膏の投与を含めて、眼用レンズ３３２の機能性が眼に直接関係する場合、パラメータを定義するのに眼科医が最適なことがある。
【００７６】
眼用レンズ３４２が特定の健康状態を監視又は治療することが可能であってもよい場合など、他の事例では、眼科医以外の医師が眼用レンズ３４２のパラメータを定義してもよい。例えば、メディアインサート３３１は、涙液などの眼環境と相互作用又は整合してもよい。眼用レンズが主に美容的機能を提供する場合など、他の実施形態では、ユーザがパラメータを定義してもよい。
【００７７】
３００で、定義済みパラメータが入力されてもよく、３１０で、それらパラメータに対して一意の最小在庫管理単位（ＳＫＵ）が生成されてもよい。定義済みパラメータは、３１０で、例えば医師の診察室又はユーザの家庭のコンピュータなど、製造現場から離れて入力されてもよい。あるいは、メーカーが、ユーザ又はユーザを代理する誰かの指示に基づいて、３００で定義済みパラメータを入力してもよい。
【００７８】
いくつかの実施形態では、３００及び３１０でのステップは、同じデバイスによって又はインターネットの使用を通して、ほぼ同時に行われてもよく、３００で定義済みパラメータが入力されると、ＳＫＵが３１０で直ちに生成される。その他、３２０〜３６０でプログラミング及び製造プロセスが行われると、ＳＫＵが３１０で生成されてもよい。３２０で、プロセッサ３２１は、ＳＫＵに割り当てられた定義済みパラメータにしたがってプログラムされてもよい。いくつかの実施形態では、３２０のプログラミングは、３３０でメディアインサート３３１を組み立てるのに先立って行われてもよい。他の実施形態では、３２０のプログラミングは、３３０の組立てプロセスの一部として行われてもよい。
【００７９】
３４０で、メディアインサート３３１は、例えば、軟質のスカート部分３４１を付加し、メディアインサート３３１を軟質の生体適合性材料３４１に封入することによって、又はメディアインサート３３１をソフトレンズ部分３４１のポケットに収めることなどによって、眼用レンズ３４２に含まれてもよい。包含の方法に応じて様々な技術が実用的であってもよい。例えば、メディアインサート３３２は、３４０で、射出成形プロセスによって封入されてもよい。あるいは、ソフトレンズ部分３４１は、化学線への暴露によるものなど、ぴったり合うポケットの形成が可能になってもよい、遊離型技術によって独立して形成されてもよい。
【００８０】
いくつかの実施形態では、３５０で、プログラムされた眼用レンズ３４２は配送のために更に包装されてもよい。包装材料３５１は、バーコードによるものなど、ＳＫＵ  ３１１の数を含んでもよく、また、例えばサイズ、静止時の屈折力、及び通電時の屈折力を含む、プログラムされた眼用レンズ３４２の性質を記載してもよいラベル３５２を含んでもよい。例示目的のため、包装材料３５１はブリスタの実施形態として示されている。他の実施形態が実用的であってもよく、本明細書に含まれる進歩性のある技術の一部として見なすべきである。いくつかのかかる実施形態では、３６０で、眼用レンズ３４２のパッケージ３５１は、従来の非通電可能眼用レンズと共通であってもよい、箱３６１に更に含まれてもよい。箱３６１は、ラベル３５２及びＳＫＵ  ３１１など、パッケージ３５１と同様の印を含んでもよい。
【００８１】
メディアインサート３３１の封入に先立ってプログラミングが行われるプログラミング方法は、眼用レンズ３４２又はメディアインサート３３１の他の構成要素のカスタマイズが必要なことがある場合に、特に好ましいことがある。いくつかの実施形態では、眼用レンズ３４２は色付きの虹彩パターンを更に含んでもよく、それが電子構成要素を覆い隠してもよく、静止美容的特性を付加してもよい。特定のＳＫＵの仕様に合わせてカスタマイズした色が製造されてもよい。
【００８２】
一部の通電機能性は特定の物質に応じて決まることがある。例えば、涙液中のグルコースの監視は、グルコースとグルコースオキシダーゼなどの反応物との測定可能な反応に依存することがある。監視された条件がカスタマイズ可能であり得る場合、反応物を適宜カスタマイズする必要があり得る。いくつかのかかる実施形態では、製造プロセスの完了に先立って入力パラメータを獲得するのが実用的なことがある。
【００８３】
この実施形態はまた、プログラミングオーバーレイの必要性を限定することがあり、それによってユーザにとってプロセスが単純化されることがある。眼用レンズ３４２は、ステップ３５０で包装されたとき、完全にプログラムされ完全に組み立てられていてもよい。したがって、プログラミングの目的で、オーバーレイを眼用レンズ上に配置する更なるステップは不要なことがある。
【００８４】
プログラミング装置
図４に進むと、プログラミング装置４５０及びプログラム可能な眼用レンズ４０３の例示的な一実施形態が示されている。いくつかの実施形態では、眼用レンズ４０３は、使用前は、例えばブリスタなどの容器４００に格納されていてもよい。容器４００は、眼用レンズ４０３を格納するための水性溶液でポケットが充填された、密封されたプラスチック４０５を備えてもよい。容器４００がプログラミング装置４５０と相互作用してもよい場合、位置合わせ機構４０２は、プログラミング装置４５０の補完的な位置合わせ機構４５２を介してなど、プログラミング装置４５０内で容器４００を固定し配向することが可能であってもよい。
【００８５】
いくつかの実施形態では、プログラミング装置４５０は二枚貝と同じように開かれてもよく、容器４００は位置合わせ用陥凹部４５５に配置されてもよい。あるいは、容器４００はプログラミング装置４５０のスロットを通して挿入されてもよく、容器４００は位置合わせ機構４５２、４５５に「カチッ」と収められてもよい。
【００８６】
容器４００のシールは、眼用レンズ４０３を周囲光の暴露から保護する材料を含んでもよい。いくつかの実施形態では、シールはプログラミングに先立って除去されてもよい。除去によって、密封されていない容器が現れてもよく、又はより透明な二次シールが現れてもよい。その他、装置４５０内のプログラミングデバイス４５４がシールに浸透する場合、除去は不要なことがある。滅菌された食塩水に密封されたままの状態で眼用レンズ４０３をプログラムすることによって、眼用レンズ４０３の滅菌性を保存するのが好ましいことがある。あるいは、プログラミング装置４５０が滅菌機能を含んでもよい。
【００８７】
いくつかの実施形態では、容器４０５は、例えば図示される上面などのスキャン可能な部分に、ＳＫＵバーコード４０１を含んでもよい。装置４５０は、容器４０５上のＳＫＵバーコード４０１をスキャンすることが可能であってもよい。認識すると、装置４５０は、最小在庫管理単位と関連付けられたプログラミングパラメータに基づいて、眼用レンズ４０３をプログラムしてもよい。したがって、ＳＫＵバーコード４０１は、スキャンに先立って除去されてもよい、シールの下に位置してもよい。あるいは、ＳＫＵバーコード４０１は、ソフトレンズ部分４０６若しくはメディアインサート４０４の上など、眼用レンズ４０３に埋め込まれるか又はその上に印刷されてもよい。
【００８８】
プログラム可能な眼用レンズ４０３は、メディアインサート４０３及びソフトレンズ部分４０６を備えてもよい。メディアインサート４０３は、装置４５０が完全に封入されたメディアインサート４０３内でプロセッサ４０３をプログラムすることを可能にしてもよい、受信器又はアンテナ部分４０７を更に備えてもよい。いくつかの実施形態では、ソフトレンズ部分４０６はメディアインサート４０３を更に封入してもよい。あるいは、ソフトレンズ４０６の一部分がメディアインサート４０３を眼用レンズ４０３内で固定してもよい。プログラミング装置４５０は、スキャニングデバイス４５１及びプログラミングデバイス４５４を備えてもよい。
【００８９】
スキャニングデバイス４５１は、眼用レンズ４０３又はその容器４０５の上のＳＫＵバーコード４０１をスキャンし認識してもよい。スキャニングデバイス４５１は、プログラミングデバイス４５４と電気的及び論理的に通信してもよく、スキャニングデバイス４５１は、ＳＫＵデータをプログラミングデバイス４５４に送信してもよい。いくつかの実施形態では、スキャニングデバイス４５１は、光をＳＫＵバーコード４０１に方向付けることができる、レーザーなどの光源と、ＳＫＵバーコード４０１の表面からの反射光の強度を測定することができる、フォトダイオードとを備えてもよい。
【００９０】
いくつかの実施形態では、プログラミングデバイス４５４は、ＳＫＵの数及びそれらに対応するプログラミングパラメータのデータベースを含んでもよい。他のいくつかの実施形態では、プログラミングデバイス４５４は、インターネット接続又はコンピュータへのＵＳＢ接続など、外部データベースに接続されてもよい。更に他の実施形態では、プログラミング装置４５０は直接プログラムされてもよく、ＳＫＵバーコード４０１のスキャンは、プログラムされていない眼用レンズ４０３がパラメータに割り当てられたＳＫＵと一致するかの確認として役立ってもよい。
【００９１】
プログラミング装置４５０は、容器４０５上の位置合わせ機構４０２を補完してもよい、位置合わせ機構４５２を更に備えてもよい。同様に、容器４０５は陥凹部又はポケット４５５に収まってもよく、そのことが、スキャニングデバイス４５１及びプログラミングデバイス４５４がＳＫＵバーコード４０１及び眼用レンズ４０３とそれぞれ位置合わせされていることを確保する助けとなってもよい。容器４０５がポケットを備える場合、ポケットはプログラミング装置４５０の陥凹部にカチッと収まってもよい。位置合わせによって容器４００がプログラミング装置４５０内で配向されてもよく、センサ４０７はプログラミングデバイス４５４と位置合わせされてもよく、ＳＫＵバーコード４０１はスキャニングデバイス４５１と位置合わせされてもよい。
【００９２】
いくつかの実施形態では、プログラミング装置４５０は携帯用デバイスを含んでもよい。携帯用のサイズによって、室内に恒久的なプログラミングステーションのための空間を確保する必要なしに、医師がデバイスを検査室に持ち込むことが可能になってもよい。あるいは、携帯用のサイズによって、ユーザが、家庭内など、医師の診察室外でプログラミング装置４５０を操作してもよい、個人用プログラミング装置４５０が可能になってもよい。
【００９３】
いくつかの実施形態では、図示されないが、プログラミング装置は手持ち式デバイスを含んでもよい。手持ち式デバイスは、特別な配置又は位置合わせを要することなく、眼用レンズ４０３をスキャンしプログラムしてもよい。例えば、プログラマーは、眼用レンズ４０３に近接させて、プログラミング装置を手で保持してもよい。
【００９４】
いくつかの実施形態では、眼科医又は他の医師は、別個のＳＫＵバーコード４０１に基づいて左右の眼用レンズ４０３を認識するように、プログラミング装置４５０をプログラムしてもよく、ユーザが装置４５０を操作することができてもよい。例えば、ユーザは、プログラムされていない眼用レンズ４０３を注文してもよく、必要に応じてプログラミング装置４５０を利用して眼用レンズ４０３をプログラムしてもよい。例えば、一日用の眼用レンズ４０３を用いて、ユーザは左右の眼用レンズ４０３を毎日プログラムしてもよい。
【００９５】
いくつかの実施形態では、眼用レンズ４０３は、例えば周囲光、涙液中のセロトニン、又は眼環境の温度など、規定の属性を監視してもよい。患者を有効に治療するため、医師は、眼用レンズ４０３によって蓄積したデータを利用してもよい。いくつかのかかる実施形態では、プログラミング装置４５０はまた、特定のＳＫＵと関連付けられた眼用レンズ４０３から格納したデータをアップロードすることが可能であってもよい。
【００９６】
使用後、ユーザは、眼用レンズ４０３をプログラミング装置４５０に戻すことが可能であってもよい。かかる実施形態では、ＳＫＵバーコード４０１は、例えばメディアインサート４０４若しくはソフトレンズ部分４０６の表面上など、眼用レンズ４０３に埋め込まれるか、又はその上に印刷されてもよい。ＳＫＵバーコード４０１を容器４００上に含める代わりに、又はそれに加えて、ＳＫＵバーコード４０１を眼用レンズ４０３に含めることで、監視されたデータが誤ったＳＫＵと関連付けられるリスクが限定されてもよい。
【００９７】
眼用レンズ４０３の機能性が美容的側面を含む場合、ユーザがプログラミングパラメータを入力してもよい。例えば、ユーザは、プログラムされていない美容用の眼用レンズ４０３のセットを注文してもよく、プログラミングによって美容的側面の色及び設計を決定してもよい。いくつかの実施形態では、プログラミングパラメータは静止設計及び呈色を設定してもよい。他の実施形態では、プログラミングパラメータは、限定された数のセッティングを設定してもよく、それによってユーザは、例えば瞬き検出メカニズムを通して、眼用レンズ４０３が眼の上にある間サイクル動作させてもよい。
【００９８】
眼用レンズ４０３は、単一のプログラミングに限定されてもよく、又は一連の推奨される使用を通じて再プログラムされてもよい。例えば、眼用レンズ４０３がプログラム可能な美容的属性を含む場合、ユーザは、各使用に先立って呈色及び設計を再プログラムしてもよい。いくつかの実施形態では、ＳＫＵは、眼用レンズ４０３をプログラムすることができる回数を制限してもよい。眼用レンズ４０３の推奨される使用が３０日間である場合、眼用レンズは毎日再プログラムすることが必要なことがあり、３０回のみ再プログラムされてもよい。
【００９９】
いくつかの実施形態では、動作時間又は通知はプログラムされたパラメータによって制御されてもよく、それによってユーザが特定の動作を行うように促しもよい。例えば、監視されたデータを一日を通じて周期的にアップロードする必要がある場合、眼用レンズ４０３は、眼用レンズ４０３をアップロードのためにプログラミング装置４５０に入れるような通知をトリガするようにプログラムされてもよい。いくつかの実施形態では、プログラミングデバイス４５４は、眼用レンズ４０３からアップロードされたデータに基づいてプログラミングを調節してもよい、実行可能なソフトウェアを更に備えてもよい。
【０１００】
図示される一例として、眼用レンズ４０３は、プログラムされたスケジュールに基づいて光治療を管理するメカニズムを備えてもよい。医師は、患者の症状の深刻度に基づいて、一般的なプログラミングパラメータを最初に設定してもよい。医師はまた、光のスケジュールにおける調節を保証してもよい、一連のスケジュール因子を含めてもよい。かかる因子は、例えば、周囲光への暴露、活性レベル、睡眠サイクル、及びセロトニン量を含んでもよい。一週間などの指定した時間量の後、ユーザは、使用済みの眼用レンズ４０３をプログラミング装置４５０に戻してもよく、そこで次に、一週間を通して集めた因子データをアップロードしてもよい。新しくアップロードされたデータに基づいて、プログラミングデバイス４５４は光治療のスケジュールを調節してもよい。かかる実施形態は、定期的に医師の診察を受ける必要なしに、連続した最適化を可能にしてもよい。
【０１０１】
プログラミング装置４５０は、電池などの独立した電力源を含んでもよく、又はプログラミング装置４５０を壁コンセント又はコンピュータに接続することなどによる、外部電源を要してもよい。例えば、ユニバーサルシリアルバス（ＵＳＢ）コネクタにより、コンピュータがプログラミング装置４５０を充電し、データをプログラミング装置４５０からアップロードし、プログラミングパラメータをプログラミングデバイス４５４にダウンロードすることが可能になってもよい。いくつかのかかる実施形態は、プログラミングの目的でオーバーレイを要しないことがある。
【０１０２】
図５に進むと、プログラム可能な眼用レンズベース５３１、プログラミングオーバーレイ５０１、及びプログラミング装置５２０の一実施形態が示されている。いくつかの実施形態では、プログラミングオーバーレイ５０１はプログラミング装置５２０を使用することによってプログラムされてもよく、またプログラミングオーバーレイ５０１は、プログラムされていないメディアインサート５３４を備えた眼用レンズ５３１と組み合わされてもよい。
【０１０３】
プログラミングオーバーレイ５０１は、図３及び図４を用いて記載したのと同様に、容器５００内に密封された状態で格納され処理されてもよい。容器５００は、プログラミング装置５２０内の位置合わせ機構５２２を補完してもよい、位置合わせ機構５０２を含んでもよい。いくつかの実施形態では、容器５００は、例えば、プラスチック部分５０３上に印刷することによって、図示されないＳＫＵバーコードを含んでもよい。
【０１０４】
いくつかの実施形態では、眼用レンズベース５３１及びプログラム可能なメディアインサート５３４を含んでもよい容器は、ＳＫＵバーコード５３２をプラスチック部分５３３上に含んでもよい。プログラミング装置５２４のスキャニング部分５２４は、容器５００、５３０のどちらか又は両方をスキャンしてもよい。容器５００、５３０の一方又は両方のＳＫＵバーコード５３２をスキャンすることによって、適切なオーバーレイ５０１がプログラムされていることが確認されてもよい。ＳＫＵバーコード５３２はまた、プログラミング装置５２０にプログラミングパラメータをデータベースから引き出すように命令してもよい。
【０１０５】
図４を用いて記載してように、容器５０３は、プログラミング装置５２０内に挿入又は配置されてもよい。プログラミング部分５２１は、例えば、プロセッサ又は受信部分との論理的連通を通して、プログラミングパラメータをプログラミングオーバーレイ５０１に送信してもよい。
【０１０６】
いくつかの実施形態では、プログラミングオーバーレイ５０１を備えた容器５００は、プログラミング装置５２０内に挿入又は配置されてもよい。プログラミング装置５２０は、プログラミングパラメータをプログラミングオーバーレイ５０１に無線で送信してもよい、プログラミング部分５２１を含んでもよい。プログラムされたプログラミングオーバーレイ５４０は、眼用レンズベースとプログラム可能なメディアインサートのアセンブリ５６０の上に配置されてもよい。
【０１０７】
その配置によって、プログラムされた眼用レンズ５７０の形成を完了させてもよい。いくつかの実施形態では、配置は、眼用レンズベースとプログラム可能なメディアインサートのアセンブリ５６０を眼の上に配置するのに先立って行われてもよい。その他、プログラミングオーバーレイ５３０は、アセンブリ５６０が眼の上に配置されているとき、アセンブリ５６０の上に配置されてもよい。
【０１０８】
いくつかの実施形態では、眼用レンズベース５３１及びプログラム可能なメディアインサート５３４は、プログラミングパラメータに基づいて製造されてもよい。例えば、プログラム可能な眼用レンズのラインは、広範囲の涙液構成成分を監視することが可能であってもよいが、単一の眼用レンズ５７０は３つの構成成分に限定されることがある。いくつかのかかる実施形態では、プログラミングパラメータは３つの構成成分を選択することを含んでもよい。したがって、メディアインサート５３４は、それら３つの構成成分に対する反応物を具体的に含むように組み立てられてもよい。
【０１０９】
あるいは、プログラミングパラメータの選択肢は、眼用レンズベース５３１及びプログラム可能なメディアインサート５３４の一方又は両方の中核的性質に基づいてもよい。例えば、眼用レンズのラインが可変の光部分を含む場合、メディアインサートは汎用であってもよく、眼用レンズベースは静止屈折力の限定された範囲内で提示されてもよい。かかる実施形態では、カスタマイズされた製造は実用的でないか、又は提示されないことがある。
【０１１０】
図６に進むと、ＳＫＵを割り当て、眼用レンズをプログラムするためのプロセスフローの代替例が示されている。いくつかの実施形態では、６００のプログラミングパラメータ入力に基づいて、プログラムされていないメディアインサート６２１が６２０で製造されてもよい。６１０で、プログラミングパラメータに基づいて、ＳＫＵ及びＳＫＵバーコード６１１が生成されてもよい。６２０で、プログラムされていないメディアインサート６２１が組み立てられてもよい。プログラムされていないメディアインサート６２１を備えた眼用レンズ６３１は、６３０で組み立てられ、６４０で容器６４１内に含まれてもよい。容器６４１は、位置合わせ機構６４２と、プログラミングパラメータと関連付けられたＳＫＵバーコード６１１とを含んでもよい。
【０１１１】
いくつかの実施形態では、ＳＫＵ  ６１１は、例えば、メディアインサート６２１が容器６４１に密封されたままの状態でプログラムされるなど、容器６４１上に含まれてもよい。いくつかの実施形態では、ＳＫＵ  ６１１は、眼用レンズ６３０及びメディアインサート６２１の一方又は両方に含まれてもよく、それにより、眼用レンズ６３０を密封された容器６４１から除去される後でプログラムすることが可能であってもよい。
【０１１２】
いくつかの実施形態では、６５０で、眼用レンズ６３０は、例えば容器６４１内に密閉されたままの状態で、プログラミング装置６５５に配置されてもよい。かかる態様では、容器６４１上の位置合わせ機構６４２は、プログラミング装置６５５内のぴったり合うキャビティ６５４の補完的な位置合わせ機構６５２と整合してもよく、それによってプログラミング部分６５３に対する眼用レンズ６３０の位置を配向し固定してもよい。スキャニング部分６５１は、関連するＳＫＵ  ６１１に関して容器６４１又は眼用レンズ６３０をスキャンしてもよい。プログラミング部分６５３は、ＳＫＵ  ６１１に基づいて、メディアインサート６２１を無線でプログラムしてもよい。
【０１１３】
かかる実施形態は、カスタマイズにより、メディアインサート６２１が特定の構成要素を備えることを要する場合、及びプログラミングが製造プロセスとは別個に行われる場合に重要なことがある。メディアインサート６２１を備えた眼用レンズ６３１のプログラミングを製造プロセスと分離することにより、広範囲のプログラミングの選択肢が可能になってもよい。図３を用いて記載したように、医師、ユーザ、又はプログラミング装置若しくはＳＫＵのセッティングに対するアクセスを有する者が、プログラミングパラメータを設定してもよい。
【０１１４】
いくつかの実施形態では、プログラミングパラメータは製造プロセス後に調節されてもよい。かかる実施形態により、ユーザが、プログラミングパラメータの単一のセットに拘束されることなく、プログラムされていないメディアインサートを備えた複数の眼用レンズを注文することが可能になってもよい。このことは、プログラミングパラメータが頻繁に変更されるか、又は頻繁に変更する必要がある場合に、特に好ましいことがある。
【０１１５】
例えば、特有の化合物が涙液中の構成成分と反応する場合、反応物が製造プロセス中に含まれてもよいが、プログラミング装置を使用することによって、通知をトリガし得る特定のレベルが調整されてもよい。同様に、メディアインサートによって収集されたデータに基づいて、プログラミングパラメータが変更されることがある場合、その後にプログラムされるメディアインサートは調節済みのプログラミングパラメータを要することがある。
【０１１６】
別の例は、ユーザが埋め込まれた静止設計及び限定された数の色を選択してもよい、美容的機能性を含んでもよい。いくつかのかかる実施形態では、同じ基本設計及び色によって、ユーザが、異なる外観をそれぞれ提供することができる、様々な置換を選ぶことができてもよい。
【０１１７】
プロセス
図７に進むと、プログラム可能なメディアインサートを備えた通電可能眼用レンズを製造する方法ステップの例示的なフローチャートが示されている。７０５で、プログラミングパラメータが製造システムにアップロードされてもよく、７１０で、プログラミングパラメータ及びそれに対応する通電された眼用レンズを一意に識別する、最小在庫管理単位が生成されてもよい。
【０１１８】
いくつかの実施形態では、製造は別個のプロセスで、又は更には別個の設備で行われてもよく、７０５でのステップが各プロセス部分に対して繰り返されてもよい。いくつかのかかる実施形態では、７１０で生成された最小在庫管理単位は、別個の製造プロセスそれぞれに対して汎用であってもよい。汎用ＳＫＵは、別個に製造された構成要素が適切に組み立てられることを担保する有効な方法を提供してもよい。例えば、各構成要素は、何らかのスキャン可能な表面上にＳＫＵを含んでもよい。
【０１１９】
いくつかの実施形態では、７１５で、プログラミングパラメータにしたがってプロセッサがプログラムされてもよく、プロセッサはメディアインサートに含まれてもよい。電気的構成要素をメディアインサート内に封入する前のプロセッサのプログラミングは、プログラミングをプロセッサとの無線通信に制限しなくてもよい。かかる実施形態は、個々の患者に対してプログラミングパラメータが変わる傾向がある場合、又は眼用レンズの再プログラミングが必要であり得る場合には、好ましくないことがある。
【０１２０】
７２０で、メディアインサートが組み立てられてもよい。いくつかの実施形態では、メディアインサートは、導電性トレースによって、通電要素に電力を供給することができる電力源に電気的に接続されたプロセッサを備えてもよく、通電要素は、通電された眼用レンズに機能性を提供してもよい。無線通信が重要である実施形態では、メディアインサートは、無線送信器、無線受信器、又は無線センサのうち１つ又は２つ以上を更に備えてもよい。
【０１２１】
いくつかの実施形態では、メディアインサート内の構成要素は、例えば、メディアインサートが限定された数の涙液構成成分を監視してもよい場合など、カスタマイズ可能であってもよい。同じメディアインサートが、眼環境内の温度及びｐＨを監視することが可能であってもよい。かかる実施形態では、７２０での組立てステップは、プログラミングパラメータに基づいてカスタマイズ可能な構成要素を選択することを含んでもよい。例えば、特定の反応物又は結合剤は、監視された構成成分の濃度を示してもよい。
【０１２２】
７２５で、メディアインサートは眼用レンズに組み入れられてもよい。いくつかの実施形態では、眼用レンズは、重合反応性モノマー混合物を含んでもよい。いくつかの実施形態では、特にメディアインサートが無線でプログラムされてもよい場合、眼用レンズとの組立ては無線通信を妨害又は阻止しないことがある。したがって、重合したＲＭＭが無線通信を阻害することがある場合、メディアインサートは眼用レンズ内に完全に封入されなくてもよい。７２０又は７２５での組立てステップは、ＳＫＵバーコードをソフトレンズ部分のメディアインサートの表面上に印刷するか又は埋め込むことを含んでもよく、このことは、眼用レンズが無線でプログラムされてもよい場合に好ましいことがある。
【０１２３】
眼用レンズは、例えば射出成形又は遊離型技術を含む、様々な方法を通して形成されてもよい。射出成形技術は、フロントカーブ成形型部品及びバックカーブ成形型部品を利用してもよく、メディアインサート及び反応性モノマー混合物は２つの成形型部品の間に配置されてもよい。ＲＭＭは、成形型部品の間で重合されて、メディアインサートを眼用レンズに封入するか、又は少なくとも固定してもよい。
【０１２４】
あるいは、遊離型技術は、形成表面全体のボクセル毎に重合を制御する化学線を利用してもよく、化学線は、光吸収性構成要素に少なくとも部分的に吸収される波長を含んでもよい。かかる実施形態では、ＲＭＭは光吸収性材料を含んでもよい。いくつかの態様では、メディアインサートは、重合に先立ってＲＭＭ中に、又はそれと接触して配置されてもよく、化学線に暴露することによって、眼内レンズ内におけるメディアインサートの位置を固定する。あるいは、メディアインサートは重合されたＲＭＭと接触して配置されてもよく、位置は、例えば位置合わせ機構又は接着剤を含む、追加の構成要素によって固定されてもよい。
【０１２５】
いくつかの実施形態では、７３０で、通電可能眼用レンズが包装されてもよい。包装は、通電可能眼用レンズが密封容器を通してプログラムされてもよい場合に、特に重要である。眼用レンズの一般的な包装は、ブリスタがプラスチックベース及び密封層を備える、ブリスタの実施形態を含んでもよい。プラスチックベースは、眼内レンズを水性溶液中に収容することができる、リザーバ部分を含んでもよい。割り当てられたＳＫＵバーコードは、密封容器の眼に見える部分若しくはスキャン可能な部分に印刷されるか、又は埋め込まれてもよい。７３０の包装は、プログラミングパラメータの一部又は全てが、例えば密封容器上に記載される、ラベル付けプロセスを含んでもよい。
【０１２６】
図８に進むと、プログラム可能なメディアインサートを備えた通電可能眼用レンズをプログラムする方法ステップの例示的なフローチャートが示されている。かかる実施形態では、プログラミングプロセスは、メディアインサートが眼用レンズに含まれた後に行われてもよい。プログラミングは、メディアインサートに直接、又はメディアインサートをプログラムすることができるオーバーレイを使用することによって間接的に送信されてもよい。いくつかの実施形態では、例示のために図示されるステップはプログラミング装置によって行われてもよい。ステップの少なくとも一部を手動で行うことを含んでもよい他の実施形態も、進歩性のある技術の範囲内である。
【０１２７】
８０５で、プログラミングパラメータが受信されてもよい。いくつかの実施形態では、プログラミングパラメータは、プログラミング装置に直接入力されてもよく、又はインターネット接続を通して若しくはユニバーサルシリアルバスを使用することによってなど、外部デバイスから受信されてもよい。いくつかのかかる実施形態では、プログラミング装置は、例えば最小在庫管理単位によって組織化された、プログラミングパラメータのデータベースを含んでもよい。
【０１２８】
いくつかの実施形態では、プログラミング装置は、プログラムされていない眼用レンズ又はオーバ例にアクセスし、分配することが可能であってもよい。かかる実施形態では、８１０で、プログラミング装置は、指定のプログラムされていない眼用レンズ又はオーバーレイを選択してもよく、８１５で、プログラミング装置は、レンズ又はオーバーレイをプログラミング装置のプログラミング部分に近接させて配置してもよい。他の実施形態では、８１５で、例えば、ユーザ又は外部メカニズムがレンズ又はオーバーレイを配置してもよい場合など、プログラミング装置は、プログラムされていない眼用レンズ又はオーバーレイを受け入れてもよい。
【０１２９】
いくつかの実施形態では、プログラミングパラメータの各セットに対して、最小在庫管理単位（ＳＫＵ）が生成されてもよい。いくつかのかかる実施形態では、８２０で、ＳＫＵバーコードがスキャンされてもよい。ＳＫＵバーコードは、オーバーレイ、眼用レンズベース、メディアインサート、又は容器のうち１つ又は２つ以上に含まれてもよい。ＳＫＵバーコードのスキャンは、適切なプログラムされていない眼用レンズ又はオーバーレイがプログラミング装置に配置されていることを確認する方法を提供してもよい。あるいは、プログラミング装置は、プログラミングパラメータのデータベースにアクセスしてもよく、ＳＫＵに基づいてパラメータを引き出してもよい。かかる実施形態では、８２０でのステップは、８０５でのステップを促してもよく、又は８０５及び８２０でのステップは同時に行われてもよい。
【０１３０】
８２５で、プログラミング装置は、プログラミングパラメータをオーバーレイ又はメディアインサートに無線で送信してもよい。いくつかの態様では、プログラミング装置は送信を手動で促されてもよい。他の態様では、プログラミング装置は、オーバーレイ又は眼用レンズがプログラミング装置内の、又はそれに対する所定位置に配置されると、自動で送信を行ってもよい。
【０１３１】
いくつかの実施形態では、８３０で、プログラミング装置はプログラムされたオーバーレイ又は眼用レンズを剥離してもよい。あるいは、眼用レンズ又はオーバーレイがプログラミング装置内で固定されなくてもよい場合、８３０での剥離ステップは不要なことがある。オーバーレイを用いた実施形態では、８３５で、プログラミング装置は、眼用レンズを任意に組み立て、プログラムされたオーバーレイを、メディアインサートを備えた眼用レンズベースに近接させて配置してもよい。他の実施形態では、オーバーレイは、ユーザ又は眼科医によってなど、眼用レンズベースと手作業で組み合わされてもよい。
【０１３２】
プログラミングのいくつかの態様により、眼用レンズが眼の上に配置されている間、プログラムされたメディアインサートによって収集されたデータに基づいて、プログラミングパラメータの調節が可能になってもよい。かかる実施形態では、８４０で、プログラミング装置は使用後の眼用レンズを受け入れてもよく、８４５で、プログラミング装置は、メディアインサートによって収集されたデータを無線で受信又はアップロードしてもよい。８１５でのステップと同様に、眼用レンズはプログラミング装置内に配置されなくてもよい。いくつかのかかる実施形態では、８４５で、プログラミング装置は眼用レンズに近接させて配置してもよく、又は眼用レンズがプログラミング装置に近接させて配置してもよい。
【０１３３】
８５０で、データは、コンピュータなどの外部デバイスに送信されてもよく、データは眼科医などによって検査されてもよい。いくつかの実施形態では、８５５で、ステップ８０５で受信した元のプログラミングパラメータが、受信データに基づいて調節されてもよい。例えば、プログラミングパラメータは、プログラミングパラメータに関連する受信データを処理することができる、実行可能なソフトウェアを含んでもよい。かかる実施形態では、プログラミングプロセスは、調節されたプログラミングパラメータに基づいて、同じ又は第２の眼用レンズで繰り返されてもよい。
【０１３４】
インサートベースの眼用レンズの材料
いくつかの実施形態では、レンズの種類は、シリコーン含有成分を含むレンズであり得る。「シリコーン含有成分」は、モノマー、マクロマー、又はプレポリマー中に少なくとも１個の［−Ｓｉ−Ｏ−］単位を含有する成分である。好ましくは、総Ｓｉ及び結合Ｏは、シリコーン含有成分中に、そのシリコーン含有成分の総分子量の約２０重量％よりも多い、より好ましくは３０重量％よりも多い量で存在する。有用なシリコーン含有成分は、好ましくは、アクリレート、メタクリレート、アクリルアミド、メタクリルアミド、ビニル、Ｎ−ビニルラクタム、Ｎ−ビニルアミド、及びスチリル官能基などの重合性官能基を含む。
【０１３５】
いくつかの実施形態では、インサートを取り囲むインサート封入層と呼ばれることがある、眼用レンズのスカートは、標準的なヒドロゲルレンズ配合物で構成されてもよい。多くのインサート材料との許容可能な調和をもたらすことができる特性を備えた例示的な材料は、ナラフィルコンＡ及びナラフィルコンＢなどのナラフィルコン系を含んでもよい。あるいは、エタフィルコンＡなどのエタフィルコン系は、良好で例示的な材料の選択肢であってもよい。本明細書の技術と合致する材料の性質に関してのより技術的に包括的な説明が続くが、密封され封入されたインサートの許容可能なエンクロージャ又は部分的エンクロージャを形成してもよい任意の材料が合致し、かつ含まれることが明らかであろう。
【０１３６】
好適なシリコーン含有成分は、式Ｉの化合物を含む。
【０１３７】
【化１】
2018081326.tif 000003
式中、
Ｒ１は、ヒドロキシ、アミノ、オキサ、カルボキシ、アルキルカルボキシ、アルコキシ、アミド、カルバメート、カーボネート、ハロゲン、又はそれらの組み合わせから選択された官能基を更に含んでもよい、一価の反応性基、一価のアルキル基、又は一価のアリール基、並びに、アルキル、ヒドロキシ、アミノ、オキサ、カルボキシ、アルキルカルボキシ、アルコキシ、アミド、カルバメート、ハロゲン、又はそれらの組み合わせから選択された官能基を更に含んでもよい、１〜１００のＳｉ−Ｏ繰り返し単位を含む一価のシロキサン鎖から独立して選択され、
式中、ｂ＝０〜５００であり、ｂが０以外のとき、ｂは、表示値と同等のモードを有する分配であると理解され、
式中、少なくとも１個のＲ１が一価の反応性基を含み、いくつかの実施形態では、１〜３個のＲ１が一価の反応性基を含む。
【０１３８】
本明細書で使用するとき、「一価の反応性基」は、フリーラジカル及び／又はカチオン重合を受けることができる基である。フリーラジカル反応性基の非限定的な例には、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニルＣ２〜１２アルケニルナフチル、Ｃ２〜６アルケニルフェニルＣ１〜６アルキル、Ｏ−ビニルカルバメート及びＯ−ビニルカルボナートが挙げられる。カチオン反応性基の非限定例としては、ビニルエーテル又はエポキシド基、及びそれらの混合物が挙げられる。一実施形態では、フリーラジカル反応性基は、（メタ）アクリレート、アクリルオキシ、（メタ）アクリルアミド、及びそれらの混合物を含む。
【０１３９】
好適な一価のアルキル及びアリール基としては、置換及び未置換のメチル、エチル、プロピル、ブチル、２−ヒドロキシプロピル、プロポキシプロピル、ポリエチレンオキシプロピル、それらの組み合わせなど、未置換の一価のＣ１〜Ｃ１６アルキル基、Ｃ６〜Ｃ１４アリール基が挙げられる。
【０１４０】
一実施形態では、ｂはゼロであり、１個のＲ１は一価の反応性基であり、少なくとも３個のＲ１は、１〜１６個の炭素原子を有する一価のアルキル基から、また別の実施形態では１〜６個の炭素原子を有する一価のアルキル基から選択される。この実施形態のシリコーン成分の非限定例としては、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリ（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが挙げられる。
【０１４１】
別の実施形態では、ｂは、２〜２０、３〜１５であり、又はいくつかの実施形態では、３〜１０であり、少なくとも１個の末端Ｒ１が一価の反応性基を含み、残りのＲ１は、１〜１６個の炭素原子を有する一価のアルキル基から、また別の実施形態では１〜６個の炭素原子を有する一価のアルキル基から選択される。更に別の実施形態では、ｂは３〜１５であり、一方の末端Ｒ１が反応性基を含み、他方の末端Ｒ１は１〜６個の炭素原子を有する一価のアルキル基を含み、残りのＲ１は１〜３個の炭素原子を有する一価のアルキル基を含む。この実施形態のシリコーン成分の非限定例としては、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ」）、モノメタクリルオキシプロピル末端のモノ−ｎ−ブチル末端のポリジメチルシロキサン（８００〜１０００ＭＷ）、（「ｍＰＤＭＳ」）が挙げられる。
【０１４２】
別の実施形態では、ｂは５〜４００又は１０〜３００であり、両方の末端Ｒ１が一価の反応性基を含み、残りのＲ１は、炭素原子間のエーテル結合を有してもよく、またハロゲンを更に含んでもよい、１〜１８個の炭素原子を有する一価のアルキル基から独立して選択される。
【０１４３】
一実施形態では、シリコーンヒドロゲルレンズが望ましい場合、本発明のレンズは、ポリマーが作製される反応性モノマー成分の総重量に基づき、少なくとも約２０重量％、好ましくは、約２０〜７０重量％のシリコーン含有成分を含む、反応性混合物から作製される。
【０１４４】
別の実施形態では、１〜４個のＲ１はビニルカーボネート又は次式のカルバメートを含む。
【０１４５】
【化２】
2018081326.tif 000004
式中、Ｙは、Ｏ−、Ｓ−、又はＮＨ−を示し、
Ｒは水素又はメチルを示し、ｄは１、２、３、又は４であり、ｑは０又は１である。
【０１４６】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネート、及び以下を含む。
【化３】
2018081326.tif 000005
【０１４７】
約２００未満の弾性率を有する生医学的デバイスが望ましい場合、１個のＲ１のみが反応性基を含むべきであり、残りのＲ１基のうちの２つ以下が一価のシロキサン基を含む。
【０１４８】
別の部類のシリコーン含有成分としては、次式のポリウレタンマクロマーが挙げられる。
式ＩＶ〜ＶＩ
（＊Ｄ＊Ａ＊Ｄ＊Ｇ）ａ ＊Ｄ＊Ｄ＊Ｅ１、
Ｅ（＊Ｄ＊Ｇ＊Ｄ＊Ａ）ａ ＊Ｄ＊Ｇ＊Ｄ＊Ｅ１、又は、
Ｅ（＊Ｄ＊Ａ＊Ｄ＊Ｇ）ａ ＊Ｄ＊Ａ＊Ｄ＊Ｅ１
式中、
Ｄは、６〜３０個の炭素原子を有するアルキルジラジカル、アルキルシクロアルキルジラジカル、シクロアルキルジラジカル、アリールジラジカル、又はアルキルアリールジラジカルを示し、
Ｇは、炭素原子１〜４０個を有するアルキルジラジカル、シクロアルキルジラジカル、アルキルシクロアルキルジラジカル、アリールジラジカル又はアルキルアリールジラジカルを示し、主鎖中にエーテル、チオ又はアミン結合を含有してもよい。
＊はウレタン又はウレイド結合を示し、
ａは少なくとも１であり、
Ａは次式の二価重合ラジカルを示す。
【０１４９】
【化４】
2018081326.tif 000006
Ｒ１１は、炭素原子間にエーテル結合を含んでもよい、１〜１０個の炭素原子を有するアルキル又はフルオロ置換アルキル基を独立して示し、ｙは少なくとも１であり、ｐは４００〜１０，０００の部分重量を提供し、Ｅ及びＥ１はそれぞれ次式に表される重合性不飽和有機ラジカルを独立して示す。
【０１５０】
【化５】
2018081326.tif 000007
式中、Ｒ１２は水素又はメチルであり、Ｒ１３は水素、１〜６個の炭素原子を有するアルキルラジカル、又はａ−ＣＯ−Ｙ−Ｒ１５ラジカルであり、Ｙは−Ｏ−、Ｙ−Ｓ−又は−ＮＨ−であり、Ｒ１４は１〜１２個の炭素原子を有する二価のラジカルであり、Ｘは、−ＣＯ−又は−ＯＣＯ−を示し、Ｚは、−Ｏ−又は−ＮＨ−を示し、Ａｒは６〜３０個の炭素原子を有する芳香族ラジカルを示し、ｗは０〜６であり、ｘは０又は１であり、ｙは０又は１であり、ｚは０又は１である。
【０１５１】
１つの好ましいシリコーン含有成分は、次式で表されるポリウレタンマクロマーである。
【０１５２】
【化６】
2018081326.tif 000008
式中、Ｒ１６は、イソホロンジイソシアネートのジラジカルなどイソシアネート基の除去後のジイソシアネートのジラジカルである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【０１５３】
【化７】
2018081326.tif 000009
【０１５４】
本発明で使用するのに好適な他のシリコーン含有成分としては、ポリシロキサン、ポリアルキレンエーテル、ジイソシアネート、ポリフッ素化炭化水素、ポリフッ素化エーテル、及び多糖類基を含有するマクロマー；末端ジフルオロ置換炭素原子に結合された水素原子を有する、極性のフッ素化グラフト又は側基を有するポリシロキサン；エーテルを含有する親水性シロキサニルメタクリレート、並びにポリエーテル及びポリシロキサニル基を含有するシロキサニル結合及び架橋性モノマーが挙げられる。前述のポリシロキサンのいずれもまた、本発明のシリコーン含有構成成分として使用することができる。
【０１５５】
結論
本発明は、上述したように、また以下の特許請求の範囲によって更に定義するように、プログラム可能なメディアインサートを備えた通電可能眼用レンズのプログラミングの方法を提供する。いくつかの実施形態では、メディアインサートは、通電された眼用レンズの更なるカスタマイズを可能にするようにプログラム可能であってもよい。プログラミングは、電気的構成要素がプログラム可能なメディアインサートに封入された後で行われてもよい。
【０１５６】
いくつかの実施形態では、装置は、眼用レンズが完全に組み立てられた後でメディアインサートを無線でプログラムしてもよい。あるいは、装置は、オーバーレイを無線でプログラムすることによって、メディアインサートを間接的にプログラムしてもよい。オーバーレイは、続いて、メディアインサートに近接して配置されるとき、メディアインサートをプログラムしてもよく、その配置によって眼用レンズの組立てが完了する。
【０１５７】
〔実施の態様〕
（１）  第１の通電可能眼用レンズをプログラムするプログラミング装置であって、
プログラミング部分であって、前記プログラミング部分が第１の通電可能眼用レンズに近接して配置されるとき、プログラム可能なメディアインサートを無線でプログラムすることが可能な、プログラミング部分を備え、前記第１の通電可能眼用レンズが、前記プログラム可能なメディアインサート及びソフトレンズベースを備え、前記ソフトレンズベースが、前記プログラム可能なメディアインサートの少なくとも一部分と接触している、プログラミング装置。
（２）  前記プログラミング部分と電気的に連通している電力源を更に備える、実施態様１に記載のプログラミング装置。
（３）  前記第１の通電可能眼用レンズを受け入れることができる受入れ部分を更に備える、実施態様１に記載のプログラミング装置。
（４）  前記プログラミング装置が手持ち式デバイスを含む、実施態様１に記載のプログラミング装置。
（５）  分配部分を更に含み、前記分配部分は、プログラム可能なメディアインサートを備えた複数のプログラムされていない通電可能眼用レンズにアクセスすることができ、前記第１の通電可能眼用レンズが前記複数のプログラムされていない通電可能眼用レンズからの選択物を含み、前記分配部分は、前記第１の通電可能眼用レンズを前記プログラミング部分に近接させて配置することができる、実施態様１に記載のプログラミング装置。
【０１５８】
（６）  前記プログラミング装置が可搬型デバイスを含む、実施態様１に記載のプログラミング装置。
（７）  前記プログラミング部分が、
プログラミングパラメータデータを受信することができる受信器と、
プログラミングパラメータのセットを前記プログラム可能なメディアインサートに無線で送信することができる送信器と、
実行可能なソフトウェアを備えるプロセッサと、を備え、前記プロセッサは前記受信器及び前記送信器と論理的に連通しており、前記実行可能なソフトウェアは前記プログラミングパラメータのセットを格納することができる、実施態様１に記載のプログラミング装置。
（８）  前記受入れ部分が、
前記第１の通電可能眼用レンズを前記プログラミング部分と配向することができる位置合わせ機構を更に備える、実施態様３に記載のプログラミング装置。
（９）  前記プログラミング装置が、前記第１の通電可能眼用レンズの上に適合することができるプログラミングオーバーレイを備え、前記プログラミングオーバーレイが、前記受信器、前記送信器、及び前記プロセッサを封入することができるソフトレンズ部分を更に備える、実施態様７に記載のプログラミング装置。
（１０）  最小在庫管理単位が前記プログラミングパラメータのセットを備え、前記プログラミング装置が、
前記受信器及び前記電力源と電気的に連通しているスキャニング部分を更に備え、前記スキャニング部分は前記最小在庫管理単位を認識し、前記プログラミングパラメータのセットを前記受信器に送信することができる、実施態様７に記載のプログラミング装置。
【０１５９】
（１１）  前記受信器が外部デバイスと論理的に連通することができる、実施態様７に記載のプログラミング装置。
（１２）  前記受信器が入力部分を備え、前記入力部分が、前記プログラミングパラメータのセットをアクセプトすることができる、実施態様７に記載のプログラミング装置。
（１３）  前記受信器が、前記第１の通電可能眼用レンズの前記プログラム可能なメディアインサートから所定のデータを無線で受信することができ、前記プログラム可能なメディアインサートが前記所定のデータを収集することができる、実施態様７に記載のプログラミング装置。
（１４）  前記プログラミング部分は、前記通電可能眼用レンズが密封容器内に配置されるとき、前記プログラム可能なメディアインサートをプログラムすることができ、前記密封容器は、
前記通電された眼用レンズの特定の水和レベルを維持することができる水性溶液のリザーバと、
前記リザーバ及び前記通電された眼用レンズを収容することができる陥凹部を備える剛性部分と、
前記陥凹部を覆う密封層と、を備え、前記密封層が所定の周囲条件に対する前記第１の通電可能眼用レンズの露出を限定することができる、実施態様７に記載のプログラミング装置。
（１５）  前記最小在庫管理単位が、前記第１の通電可能眼用レンズの表面上、又は前記第１の通電可能眼用レンズを保持することができる容器の表面上に位置する、最小在庫管理単位バーコードによって識別可能であって、前記スキャニング部分が、
前記最小在庫管理単位バーコードに近接し、前記最小在庫管理単位バーコードに光を方向付けることができる、光源であって、前記表面が前記光を反射することができる、光源と、
反射光の強度を測定することができるフォトダイオードと、を備える、実施態様１０に記載のプログラミング装置。
【０１６０】
（１６）  前記実行可能なソフトウェアが、前記所定のデータに基づいて前記プログラミングパラメータのセットを調節することができる、実施態様１３に記載のプログラミング装置。
（１７）  前記密封層が、前記送信器と前記プログラム可能なメディアインサートとの間の無線送信に対して透過性である、実施態様１４に記載のプログラミング装置。
（１８）  前記光源がレーザーを含む、実施態様１５に記載のプログラミング装置。
（１９）  前記プログラミング部分が、前記調節されたプログラミングパラメータのセットに基づいて、第２の通電可能眼用レンズを無線でプログラムすることができる、実施態様１６に記載のプログラミング装置。
（２０）  前記プログラミング部分が、前記調節されたプログラミングパラメータのセットに基づいて、前記第１の通電可能眼用レンズを無線で再プログラムすることができる、実施態様１６に記載のプログラミング装置。
【図１】
2018081326.tif 000010
【図２Ａ】
2018081326.tif 000011
【図２Ｂ】
2018081326.tif 000012
【図３】
2018081326.tif 000013
【図４】
2018081326.tif 000014
【図５】
2018081326.tif 000015
【図６】
2018081326.tif 000016